(57)【要約】本発明はユーザにセンテンスの内容を効率よく把握させる表示制御装置、表示制御方法及び表示制御プログラムを提供する。支援装置１は、図面に対応する単語を含む一以上の文書を記憶する記憶部１３と、ユーザからキーワードを受け付けると、記憶部１３を参照し、一以上の文書から、受け付けたキーワードを含むセンテンスを抽出する抽出部１４３と、抽出したセンテンスに含まれる単語に対応する図面を表示部１２に表示させる表示制御部１４２と、を備える。表示制御部１４２は、抽出したセンテンスを表示部１２に表示させ、単語を含むセンテンスに対して第１操作が行われると、単語に対応する図面を表示部１２に表示させる。
2017061253.tif 000002
【特許請求の範囲】
【請求項１】
ユーザからキーワードを受け付けると、図面に対応する単語を含む一以上の文書を記憶する記憶部を参照し、前記一以上の文書から、受け付けたキーワードを含むセンテンスを抽出する抽出部と、  抽出したセンテンスに含まれる前記単語に対応する図面を表示部に表示させる表示制御部と、  を備える表示制御装置。
【請求項２】
前記表示制御部は、抽出したセンテンスを前記表示部に表示させ、前記単語を含むセンテンスに対して第１操作が行われると、前記単語に対応する図面を前記表示部に表示させる、  請求項１に記載の表示制御装置。
【請求項３】
前記表示制御部は、前記単語を含むセンテンスに対して前記第１操作が行われると、当該単語に対応する図面の選択を受け付ける選択受付画像を前記表示部に表示させ、当該選択受付画像において図面を選択する第２操作が行われたことに応じて、当該図面を前記表示部に表示させる、  請求項２に記載の表示制御装置。
【請求項４】
前記表示制御部は、複数の前記単語を含むセンテンスに対して前記第１操作が行われると、複数の当該単語に対応する複数の図面の選択を受け付ける選択受付画像を前記表示部に表示させ、当該複数の図面を選択する第２操作が行われたことに応じて、当該複数の図面を前記表示部に表示させる、  請求項２又は３に記載の表示制御装置。
【請求項５】
前記表示制御部は、前記単語を含まないセンテンスに対して前記第１操作が行われると、当該センテンスを含む文書において、当該センテンスから所定範囲内に位置するセンテンスに含まれる前記単語に対応する図面を前記表示部に表示させる、  請求項２から４のいずれか１項に記載の表示制御装置。
【請求項６】
前記表示制御部は、前記単語を含まないセンテンスに対して前記第１操作が行われると、当該センテンスを含む文書において、当該センテンスよりも前に位置する前記単語を含むセンテンスのうち、前記第１操作が行われたセンテンスに最も近い位置のセンテンスに含まれる前記単語に対応する図面を前記表示部に表示させる、  請求項５に記載の表示制御装置。
【請求項７】
前記表示制御部は、前記単語を含まないセンテンスに対して前記第１操作が行われた場合に、当該センテンスを含む文書において、当該センテンスから所定範囲内のセンテンスに前記単語が含まれていないときには、前記図面を前記表示部に表示させない、  請求項２から６のいずれか１項に記載の表示制御装置。
【請求項８】
前記表示制御部は、前記図面を前記表示部に表示させた後、第３操作を受け付けたことに応じて、当該図面の編集を受け付ける編集画面を前記表示部に表示させる、  請求項２から７のいずれか１項に記載の表示制御装置。
【請求項９】
前記表示制御部は、抽出したセンテンスを前記表示部に表示させ、抽出した全てのセンテンスのそれぞれに対応する図面を前記表示部に表示させる操作を受け付けると、当該全てのセンテンスのそれぞれに含まれる前記単語に対応する複数の図面を前記表示部に表示させる、  請求項１から８のいずれか１項に記載の表示制御装置。
【請求項１０】
前記表示制御部は、抽出したセンテンスを前記表示部に表示させずに、抽出した全てのセンテンスのそれぞれに含まれる前記単語に対応する複数の図面を前記表示部に表示させる、  請求項１から８のいずれか１項に記載の表示制御装置。
【請求項１１】
前記表示制御部は、前記複数の図面を前記表示部に表示させた後、当該複数の図面のうち、一の図面に対応するセンテンスの表示操作を受け付けたことに応じて、当該センテンスを前記表示部に表示させる、  請求項９又は１０に記載の表示制御装置。
【請求項１２】
前記抽出部は、複数のキーワードを受け付けると、前記一以上の文書から、当該複数のキーワード間の距離が所定範囲内のセンテンスを抽出する、  請求項１から１１のいずれか１項に記載の表示制御装置。
【請求項１３】
前記抽出部は、キーワードを受け付けると、前記一以上の文書から、当該キーワード、又は当該キーワードと同様の意味を有する類義語を含むセンテンスを抽出する、  請求項１から１２のいずれか１項に記載の表示制御装置。
【請求項１４】
一以上の文書を記憶する記憶部と、  ユーザからキーワードを受け付ける受付部と、  前記記憶部を参照し、前記一以上の文書から、受け付けたキーワードを含むセンテンスを抽出する抽出部と、  抽出したセンテンスを表示部に表示させ、当該センテンスに対して所定操作が行われると、当該センテンスを含む文書を、当該センテンスを含む部分が前記表示部に表示された状態で表示させる表示制御部と、  を備える表示制御装置。
【請求項１５】
前記表示制御部は、前記所定操作が行われた前記センテンスを含む文書を前記表示部に表示させる場合に、当該センテンスを強調して表示させる、  請求項１４に記載の表示制御装置。
【請求項１６】
コンピュータにより実行される、  ユーザからキーワードを受け付けると、図面に対応する単語を含む一以上の文書を記憶する記憶部を参照し、前記一以上の文書から、受け付けたキーワードを含むセンテンスを抽出するステップと、  抽出したセンテンスに含まれる前記単語に対応する図面を表示部に表示させるステップと、  を備える表示制御方法。
【請求項１７】
コンピュータを、  ユーザからキーワードを受け付けると、図面に対応する単語を含む一以上の文書を記憶する記憶部を参照し、前記一以上の文書から、受け付けたキーワードを含むセンテンスを抽出する抽出部、及び  抽出したセンテンスに含まれる前記単語に対応する図面を表示部に表示させる表示制御部、  として機能させる表示制御プログラム。
【発明の詳細な説明】
【技術分野】
【０００１】  本発明は、表示制御装置、表示制御方法及び表示制御プログラムに関する。
【背景技術】
【０００２】  従来、特許明細書等の文書の作成を支援することが行われている。例えば、特許文献１には、明細書の新規作成時に、予め記憶部に記憶されている明細書のひな型を読み出して作成中の明細書とする装置が開示されている。これにより、ユーザは、ひな型に基づいて効率よく明細書の作成を行うことができる。
【先行技術文献】
【特許文献】
【０００３】
【特許文献１】特開２０００−４８０１３号公報
【発明の概要】
【発明が解決しようとする課題】
【０００４】  ところで、文書を新規に作成する際に、過去に作成された文書等に含まれるセンテンスを流用する場合がある。例えば、ユーザが、自身が作成する文書に含めようとするキーワードに基づいて、過去に作成した文書から当該キーワードを含むセンテンスを検索することが考えられる。しかしながら、ユーザにとっては、当該センテンスの内容のみに基づいて、当該センテンスが流用可能なセンテンスであるか否かを判断することが困難であるという問題があった。そこで、ユーザにセンテンスの内容を効率よく把握させることが求められている。【０００５】  そこで、本発明はこれらの点に鑑みてなされたものであり、ユーザにセンテンスの内容を効率よく把握させることができる表示制御装置、表示制御方法及び表示制御プログラムを提供することを目的とする。
【課題を解決するための手段】
【０００６】  本発明の第１の態様に係る表示制御装置は、ユーザからキーワードを受け付けると、図面に対応する単語を含む一以上の文書を記憶する記憶部を参照し、前記一以上の文書から、受け付けたキーワードを含むセンテンスを抽出する抽出部と、抽出したセンテンスに含まれる前記単語に対応する図面を表示部に表示させる表示制御部と、を備える。  前記表示制御部は、抽出したセンテンスを表示部に表示させ、前記単語を含むセンテンスに対して第１操作が行われると、前記単語に対応する図面を前記表示部に表示させてもよい。【０００７】  前記表示制御部は、前記単語を含むセンテンスに対して前記第１操作が行われると、当該単語に対応する図面の選択を受け付ける選択受付画像を前記表示部に表示させ、当該選択受付画像において図面を選択する第２操作が行われたことに応じて、当該図面を前記表示部に表示させてもよい。【０００８】  前記表示制御部は、複数の前記単語を含むセンテンスに対して前記第１操作が行われると、複数の当該単語に対応する複数の図面の選択を受け付ける選択受付画像を前記表示部に表示させ、当該複数の図面を選択する第２操作が行われたことに応じて、当該複数の図面を前記表示部に表示させてもよい。【０００９】  前記表示制御部は、前記単語を含まないセンテンスに対して前記第１操作が行われると、当該センテンスを含む文書において、当該センテンスから所定範囲内に位置するセンテンスに含まれる前記単語に対応する図面を前記表示部に表示させてもよい。【００１０】  前記表示制御部は、前記単語を含まないセンテンスに対して前記第１操作が行われると、当該センテンスを含む文書において、当該センテンスよりも前に位置する前記単語を含むセンテンスのうち、前記第１操作が行われたセンテンスに最も近い位置のセンテンスに含まれる前記単語に対応する図面を前記表示部に表示させてもよい。【００１１】  前記表示制御部は、前記単語を含まないセンテンスに対して前記第１操作が行われた場合に、当該センテンスを含む文書において、当該センテンスから所定範囲内のセンテンスに前記単語が含まれていないときには、前記図面を前記表示部に表示させないようにしてもよい。  前記表示制御部は、前記図面を前記表示部に表示させた後、第３操作を受け付けたことに応じて、当該図面の編集を受け付ける編集画面を前記表示部に表示させてもよい。【００１２】  前記表示制御部は、抽出したセンテンスを前記表示部に表示させ、抽出した全てのセンテンスのそれぞれに対応する図面を前記表示部に表示させる操作を受け付けると、当該全てのセンテンスのそれぞれに含まれる前記単語に対応する複数の図面を前記表示部に表示させてもよい。  前記表示制御部は、抽出したセンテンスを前記表示部に表示させずに、抽出した全てのセンテンスのそれぞれに含まれる前記単語に対応する複数の図面を前記表示部に表示させてもよい。【００１３】  前記表示制御部は、前記複数の図面を前記表示部に表示させた後、当該複数の図面のうち、一の図面に対応するセンテンスの表示操作を受け付けたことに応じて、当該センテンスを前記表示部に表示させてもよい。  前記抽出部は、複数のキーワードを受け付けると、前記一以上の文書から、当該複数のキーワード間の距離が所定範囲内のセンテンスを抽出してもよい。  前記抽出部は、キーワードを受け付けると、前記一以上の文書から、当該キーワード、又は当該キーワードと同様の意味を有する類義語を含むセンテンスを抽出してもよい。【００１４】  本発明の第２の態様に係る表示制御装置は、一以上の文書を記憶する記憶部と、ユーザからキーワードを受け付ける受付部と、前記記憶部を参照し、前記一以上の文書から、受け付けたキーワードを含むセンテンスを抽出する抽出部と、抽出したセンテンスを表示部に表示させ、当該センテンスに対して所定操作が行われると、当該センテンスを含む文書を、当該センテンスを含む部分が前記表示部に表示された状態で表示させる表示制御部と、を備える。  前記表示制御部は、前記所定操作が行われた前記センテンスを含む文書を前記表示部に表示させる場合に、当該センテンスを強調して表示させてもよい。【００１５】  本発明の第３の態様に係る表示制御方法は、コンピュータにより実行される、ユーザからキーワードを受け付けると、図面に対応する単語を含む一以上の文書を記憶する記憶部を参照し、前記一以上の文書から、受け付けたキーワードを含むセンテンスを抽出するステップと、抽出したセンテンスに含まれる前記単語に対応する図面を表示部に表示させるステップと、を備える。【００１６】  本発明の第４の態様に係る表示制御プログラムは、コンピュータを、ユーザからキーワードを受け付けると、図面に対応する単語を含む一以上の文書を記憶する記憶部を参照し、前記一以上の文書から、受け付けたキーワードを含むセンテンスを抽出する抽出部、及び抽出したセンテンスに含まれる前記単語に対応する図面を表示部に表示させる表示制御部、として機能させる。
【発明の効果】
【００１７】  本発明によれば、ユーザにセンテンスの内容を効率よく把握させることができるという効果を奏する。
【図面の簡単な説明】
【００１８】
【図１】本実施形態に係る支援装置の概要を示す図である。
【図２】本実施形態に係る支援装置の構成を示す図である。
【図３】文書の編集に係る処理の流れを示すフローチャートである。
【図４】作成対象の文書及び検索画面が表示された例を示す図である。
【図５】検索画面の一例を示す図である。
【図６】検索画面にキーワードを含むセンテンスが表示された例を示す図である。
【図７】図面表示処理の流れを示すフローチャートである。
【図８】表示部に図面選択用画像が表示された例を示す図である。
【図９】表示部に選択された図面が表示された例を示す図である。
【図１０】表示部に図面操作用画像が表示された例を示す図である。
【図１１】表示部に参考文書が表示された例を示す図である。
【図１２】全図面表示受付画像を含む選択受付画像が表示された例を示す図である。
【図１３】抽出した全てのセンテンスのそれぞれに含まれる単語に対応する複数の図面の表示例を示す図である。
【図１４】表示部に第４実施形態に係る図面操作用画像が表示された例を示す図である。
【発明を実施するための形態】
【００１９】＜第１実施形態＞［支援装置１の概要］  図１は、第１実施形態に係る支援装置１の概要を示す図である。支援装置１は、特許明細書等の文書の作成を支援するパーソナルコンピュータ等のコンピュータである。
【００２０】  支援装置１は、文書の作成の際に参考にされる文書から、支援装置１のユーザが指定したキーワードを含むセンテンスを抽出して表示する表示制御装置として機能する。例えば、支援装置１は、図１に示すように、キーワードとして「タッチパネル」及び「表示」を受け付けると、一以上の文書から「タッチパネル」及び「表示」を含むセンテンスを抽出する。支援装置１は、抽出したセンテンスと、当該センテンスを含む文書を識別する文書識別情報（例えば公報番号）とを関連付けて表示する。なお、本実施形態において、センテンスは、例えば予め定められた文字や記号（例えば改行文字）によって囲まれた一以上の文章であるものとする。なお、センテンスは、一の段落番号に対応する一以上の文章であってもよい。
【００２１】  支援装置１は、一のセンテンスを右クリックする操作を受け付けると、当該センテンスに対応する図面を表示する。また、支援装置１は、センテンスに関連付けて表示されている文書識別情報を選択する操作として、公報番号を左クリックする操作を受け付けると、当該センテンスに対応する文書を、当該センテンスを含む状態で表示する。
【００２２】  このようにすることで、ユーザは、選択したセンテンスに対応する図や、選択したセンテンスの周囲のセンテンスを確認し、選択したセンテンスの内容を効率よく把握することができる。そして、ユーザは、選択したセンテンスが、文書の作成に流用可能なセンテンスであるか否かを判断することができる。
【００２３】  以下、支援装置１の構成及び動作について説明する。なお、以下の説明において、センテンスの抽出対象とされる文書を参考文書という。また、以下の説明では、編集対象の文書が特許明細書であるものとして説明を進める。
【００２４】［支援装置１の構成例］  図２は、本実施形態に係る支援装置１の構成を示す図である。  支援装置１は、入力部１１と、表示部１２と、記憶部１３と、制御部１４とを備える。
【００２５】  入力部１１は、例えば、マウスやキーボード等である。入力部１１は、支援装置１のユーザから操作入力を受け付ける。  表示部１２は、例えば、液晶ディスプレイや有機ＥＬ（Electro-Luminescence）ディスプレイ等である。表示部１２は、例えば、制御部１４の制御に応じて、文書を表示したり、参考文書に含まれるセンテンスを検索するための検索画面を表示したりする。
【００２６】  記憶部１３は、例えば、ＲＯＭ、ＲＡＭ及びハードディスク等である。記憶部１３は、支援装置１を機能させるための各種プログラムを記憶する。記憶部１３は、支援装置１を、記憶制御部１４１、表示制御部１４２、抽出部１４３、及び編集部１４４として機能させる表示制御プログラムを記憶する。記憶部１３は、外部メモリ等の記憶媒体に記憶されたプログラムを読み取って記憶してもよく、通信ネットワークを介して外部機器から取得したプログラムを記憶してもよい。  また、記憶部１３は、図面に対応する単語を含む一以上の参考文書を記憶する。
【００２７】  制御部１４は、例えばＣＰＵである。制御部１４は、記憶部１３に記憶されている各種プログラムを実行することにより、支援装置１に係る機能を制御する。制御部１４は、記憶制御部１４１と、表示制御部１４２と、抽出部１４３と、編集部１４４とを備える。
【００２８】［参考文書の指定］  記憶制御部１４１は、ユーザの指定操作に応じて、図面に対応する単語を含む一以上の参考文書と当該図面とを関連付けて記憶部１３に記憶させる。具体的には、記憶制御部１４１は、ユーザから、一以上の参考文書を示す文書ファイルの指定を受け付ける。
【００２９】  文書ファイルは、例えば、公開特許公報や、ユーザが作成した特許明細書等を示すファイルである。文書ファイルには、複数のセンテンスを含む文書が含まれている。また、文書ファイルには、参考文書に対応する一以上の図面が含まれているか、参考文書に対応する図面を示す図面ファイルが対応付けられている。また、参考文書には、図面に対応する単語として、「図１」や「図２」等の単語が含まれており、当該単語には、図面を参照するためのリンクが付されている。
【００３０】  記憶制御部１４１は、文書ファイルに、参考文書に対応する一以上の図面が含まれている場合には、文書ファイルから、当該一以上の図面を抽出し、それぞれの図面を含む図面ファイルを作成する。そして、記憶制御部１４１は、ユーザから指定された文書ファイルのそれぞれについて、当該文書ファイルが示す参考文書に含まれる図面に対応する単語と、当該単語に対応する図面を示す図面ファイルの所在を示すアドレスとを関連付けた情報を記憶部１３に記憶させる。
【００３１】  表示制御部１４２、抽出部１４３、及び編集部１４４は、協働することにより、ユーザの編集対象の文書を表示部１２に表示して当該文書の編集を受け付けるとともに、ユーザから受け付けたキーワードを含むセンテンスの表示、及び当該センテンスに対応する図面の表示を行う。
【００３２】［文書の編集に係る処理］  以下に、制御部１４が実行する文書の編集に係る処理の流れを示すフローチャートを参照しながら、表示制御部１４２、抽出部１４３、及び編集部１４４の詳細を説明する。図３は、文書の編集に係る処理の流れを示すフローチャートである。なお、本フローチャートの開始時において、記憶部１３には、参考文書と、参考文書に対応する一以上の図面ファイルとが関連付けて記憶されているものとする。
【００３３】  まず、表示制御部１４２は、ユーザから指定された編集対象の文書と、参考文書に含まれるセンテンスを検索するための検索画面とを表示部１２に表示させる（Ｓ１０）。例えば、表示制御部１４２は、編集対象の文書の指定を受け付ける画面を表示部１２に表示させ、当該画面を介して指定された文書を表示部１２に表示させる。続いて、表示制御部１４２は、入力部１１を介して、ユーザから検索画面を表示させる操作を受け付けたことに応じて、検索画面を表示部１２に表示させる。例えば、表示制御部１４２は、図４に示すように、タイトルに「明細書」と表示された編集対象の文書の表示画面と、タイトルに「明細書例文検索」と表示された検索画面とを横方向に並べて表示させる。
【００３４】  図５は、検索画面の一例を示す図である。図５に示すように、検索画面には、参考文書が「実施形態」や「特許請求の範囲」等の複数のブロックから構成されている場合に、参考文書において検索対象とするブロックを選択する第１選択欄と、キーワードの入力欄と、検索ボタンと、編集対象の文書へのセンテンスの挿入方法及び挿入位置を設定する第２選択欄とが設けられている。第２選択欄では、センテンスを挿入するブロックと、当該ブロックにおける挿入位置とを選択することができる。
【００３５】  抽出部１４３は、キーワードの抽出操作が行われたか否かを判定する（Ｓ２０）。ここで、キーワードの抽出操作は、キーワードの入力欄にキーワードが入力された状態で検索ボタンが押下される操作である。抽出部１４３は、キーワードの抽出操作が行われたと判定すると、Ｓ３０に処理を移し、キーワードの抽出操作が行われていないと判定すると、Ｓ４０に処理を移す。
【００３６】  Ｓ３０において、表示制御部１４２及び抽出部１４３は、キーワードを含むセンテンスを抽出して、表示部１２に当該センテンスを表示させる。具体的には、抽出部１４３は、ユーザからキーワードを受け付けると、記憶部１３を参照し、一以上の参考文書から、受け付けたキーワードを含むセンテンスを抽出する。抽出部１４３は、検索画面における第１選択欄において選択されたブロックから、受け付けたキーワードを含むセンテンスを抽出する。
【００３７】  また、抽出部１４３は、一以上の参考文書から、当該参考文書を識別する文書識別情報として、公開特許公報の公報番号を抽出する。なお、抽出部１４３は、参考文書を識別する文書識別情報としての公報番号を抽出することとしたが、これに限らず、参考文書を作成した日付や参考文書に付された整理番号等を文書識別情報として抽出してもよい。
【００３８】  なお、本実施形態では、抽出部１４３は、複数のキーワードを受け付けると、複数のキーワードの全てを含むセンテンスを抽出することとするが、これに限らず、複数のキーワードの少なくともいずれかを含むセンテンスを抽出してもよい。また、支援装置１は、例えば検索画面において複数のキーワードの全てを含むセンテンスを抽出するか、複数のキーワードの少なくともいずれかを含むセンテンスを抽出するかを選択できるようにしてもよい。また、抽出部１４３は、記憶部１３を参照し、受け付けたキーワードを含むセンテンスを抽出したが、これに限らない。例えば、抽出部１４３は、通信ネットワークを介して接続された外部装置の記憶部に一以上の参考文書を記憶させておき、当該一以上の参考文書から、受け付けたキーワードを含むセンテンスを抽出してもよい。
【００３９】  続いて、表示制御部１４２は、抽出部１４３が抽出したキーワードを含むセンテンスと、当該センテンスに対応する参考文書の公報番号とを関連付けて、表示部１２に表示されている検索画面に表示する。図６は、検索画面にキーワードを含むセンテンスが表示された例を示す図である。図６に示すように、表示制御部１４２は、検索画面にセンテンスを表示する際に、当該センテンスに含まれるキーワードを強調して表示させる。
【００４０】  続いて、表示制御部１４２は、表示部１２にセンテンスに対応する図面を表示するための第１操作が、一のセンテンスに対して行われたか否かを判定する（Ｓ４０）。ここで、第１操作は、検索画面に表示されているセンテンス上で、右クリックする操作である。表示制御部１４２は、第１操作が行われたと判定すると、Ｓ５０に処理を移す。また、表示制御部１４２は、第１操作が行われていないと判定すると、Ｓ６０に処理を移す。
【００４１】  Ｓ５０において、表示制御部１４２は、検索画面に表示されているセンテンスに対して第１操作が行われると、当該センテンスに対応する図面を表示部１２に表示させる図面表示処理を実行する。
【００４２】  ここで、図面表示処理の詳細について、図７に示す図面表示処理に係る処理の流れを示すフローチャートを参照しながら説明する。  まず、表示制御部１４２は、第１操作が行われたセンテンスに図面に対応する単語が含まれているか否かを判定する（Ｓ５０１）。表示制御部１４２は、第１操作が行われたセンテンスに、当該単語が含まれていると判定すると、Ｓ５０２に処理を移し、当該単語が含まれていないと判定すると、Ｓ５０８に処理を移す。
【００４３】  Ｓ５０２において、表示制御部１４２は、当該単語に対応する図面の選択を受け付ける選択受付画像を表示部１２に表示させる。図８は、選択受付画像が表示された例を示す図である。図８に示す例は、検索画面に表示されているセンテンスのうち、最上部に表示されているセンテンスに対して第１操作が行われた場合の選択受付画像を示している。当該センテンスには、図面に対応する単語として、「図１」と「図２」とが含まれている。
【００４４】  表示制御部１４２は、センテンスに図面に対応する複数の単語が含まれている場合には、複数の図面のそれぞれの選択、及び複数の図面の全ての選択のいずれかを受け付ける選択受付画像を表示させる。図８に示す例では、表示制御部１４２は、選択受付画像として、「図１」に対応する図面の選択を受け付ける「図１を表示」と示される画像と、「図２」に対応する図面の選択を受け付ける「図２を表示」と示される画像と、複数の図面（図１及び図２）の選択を受け付ける「以下の全図面を表示」と示される画像とが含まれている。
【００４５】  続いて、表示制御部１４２は、表示する図面が選択されたか否かを判定する（Ｓ５０３）。具体的には、表示制御部１４２は、選択受付画像において図面を選択する第２操作が行われたか否かを判定することによって、表示する図面が選択されたか否かを判定する。表示制御部１４２は、表示する図面が選択されたと判定すると、Ｓ５０４に処理を移し、表示する図面が選択されなかった場合には、図面表示処理を終了させる。
【００４６】  Ｓ５０４において、表示制御部１４２は、選択された図面を表示部１２に表示させる。図９は、表示部１２に選択された図面が表示された例を示す図である。図９に示される例では、図面に対応する単語「図１」に対応する図面が選択されて表示されていることが確認できる。このようにすることで、ユーザは、自身が指定するセンテンスに含まれる図面が複数ある場合にも、選択受付画像を介して図面を選択することにより、それぞれの図面を容易に確認することができる。
【００４７】  Ｓ５０５において、表示制御部１４２は、図面の編集操作としての第３操作を受け付けたか否かを判定する。具体的には、図９に示されるように図面が表示部１２に表示されている状態において、図面上で右クリックする操作が行われると、図１０に示すように図面操作用画像を表示させる。図面操作用画像には、図面を右に９０度回転させる操作に対応する「右９０度回転」と示される画像と、図面を左に９０度回転させる操作に対応する「左９０度回転」と示される画像と、図面を１８０度回転させる操作に対応する「１８０度回転」と示される画像とが含まれている。また、図面操作用画像には、その他の図面の編集を受け付ける、「図を編集する」と示される画像が含まれている。
【００４８】  表示制御部１４２は、図面操作用画像に含まれる各画像のいずれかが選択されたか否かを判定することにより、図面の編集操作を受け付けたか否かを判定する。表示制御部１４２は、図面の編集操作（第３操作）を受け付けたと判定すると、Ｓ５０６に処理を移し、図面の編集操作を受け付けていないと判定すると、Ｓ５０７に処理を移す。
【００４９】  Ｓ５０６において、編集部１４４は、表示されている図面の編集を受け付けるための編集用画面を表示させて、当該図面の編集を受け付けるか、図面を回転させる図面回転処理を行う。具体的には、編集部１４４は、「右９０度回転」と示される画像、「左９０度回転」と示される画像、及び「１８０度回転」と示される画像のいずれかが選択されると、図面を回転させる図面回転処理を行う。また、編集部１４４は、「図を編集する」と示される画像が選択されると、表示されている図面の編集を受け付けるための編集用画面を表示させて、当該図面の編集を受け付ける。このようにすることで、ユーザは、流用したセンテンスを変更する場合に、流用したセンテンスに対応する図面も容易に変更することができる。
【００５０】  続いて、表示制御部１４２は、表示されている図面の表示を終了させる表示終了操作を受け付けたか否かを判定する（Ｓ５０７）。表示制御部１４２は、表示終了操作を受け付けたと判定すると、図面表示処理を終了し、表示終了操作を受け付けていないと判定すると、Ｓ５０５に処理を移す。
【００５１】  表示制御部１４２は、Ｓ５０１において、センテンスに図面に対応する単語が含まれていないと判定すると、単語を含まないセンテンスに対して第１操作が行われたと判定する。そして、表示制御部１４２は、単語を含まないセンテンスを含む参考文書において、当該センテンスから所定範囲内に位置するセンテンスに含まれる単語に対応する図面を表示部１２に表示させる。
【００５２】  例えば、表示制御部１４２は、Ｓ５０１において、センテンスに図面に対応する単語が含まれていないと判定すると、Ｓ５０８に処理を移し、単語を含むセンテンスが、第１操作を受け付けたセンテンスよりも前の所定範囲内にあるか否かを判定する。表示制御部１４２は、単語を含むセンテンスが、第１操作を受け付けたセンテンスよりも前の所定範囲内にあると判定すると、Ｓ５０９に処理を移し、所定範囲内にないと判定すると、Ｓ５１０に処理を移す。
【００５３】  Ｓ５０９において、表示制御部１４２は、第１操作が行われたセンテンスを含む文書において、当該センテンスよりも前に位置する、図面に対応する単語を含むセンテンスのうち、第１操作が行われたセンテンスに最も近い位置のセンテンス（直上のセンテンス）に含まれる単語に対応する図面を表示部１２に表示させる。このようにすることで、支援装置１は、ユーザが指定した一のセンテンスに対応する可能性が高い図面を表示部１２に表示させることができる。
【００５４】  表示制御部１４２は、Ｓ５０９において図面を表示部１２に表示させると、Ｓ５０５に処理を移す。  なお、表示制御部１４２は、直上のセンテンスに図面に対応する単語が複数含まれている場合には、当該センテンスに含まれている単語のうち、最も後ろに記載されている単語に対応する図面を表示部１２に表示させるようにしてもよい。
【００５５】  Ｓ５１０において、表示制御部１４２は、第１操作が行われたセンテンスを含む参考文書において、当該センテンスに図面に対応する単語が含まれていないとともに、当該センテンスから所定範囲内のセンテンスにも図面に対応する単語が含まれていない場合に、当該参考文書に対応する図面を表示部１２に表示させない。そして、表示制御部１４２は、第１操作が行われたセンテンスから所定範囲内に図面が含まれておらず、図面を表示しない旨を示すエラー画像を表示部１２に表示させる。この処理が終了すると、表示制御部１４２は、図面表示処理を終了させる。このようにすることで、支援装置１は、ユーザが指定した一のセンテンスに対応する可能性が高い図面がないことをユーザに認識させることができる。
【００５６】  図３に説明を戻す。表示制御部１４２は、センテンスに対して、当該センテンスを含む参考文書を表示させるための第４操作（所定操作）が行われたか否かを判定する（Ｓ６０）。第４操作は、例えば、検索画面にセンテンスに関連付けて表示されている、センテンスを含む参考文書の公報番号を左クリックする操作である。表示制御部１４２は、第４操作が行われたと判定すると、Ｓ７０に処理を移し、第４操作が行われていないと判定すると、Ｓ８０に処理を移す。
【００５７】  Ｓ７０において、表示制御部１４２は、センテンスに対して第４操作が行われると、当該センテンスを含む参考文書を、当該センテンスを含む部分が表示部１２に表示された状態で表示させる。図１１は、表示部１２に参考文書が表示された例を示す図である。図１１に示すように、表示制御部１４２は、第４操作が行われたセンテンスを含む参考文書を表示部１２に表示させる場合に、当該センテンスを強調して表示させる。また、表示制御部１４２は、第４操作が行われたセンテンスを含む参考文書を表示部１２に表示させる場合に、ユーザから受け付けたキーワードを強調して表示させる。このようにすることで、支援装置１は、ユーザに、表示部１２に表示されている参考文書において、自身が選択したセンテンスがどの位置にあるかを容易に把握させることができる。
【００５８】  続いて、編集部１４４は、検索画面に表示されているセンテンスを編集対象の文書に貼り付ける貼付操作が行われたか否かを判定する（Ｓ８０）。貼付操作は、例えば、検索画面に表示されているセンテンスを左クリックする操作である。編集部１４４は、貼付操作が行われたと判定すると、Ｓ９０に処理を移し、貼付操作が行われたセンテンスを、検索画面の第２選択欄において選択されたブロックの指定箇所に貼り付ける。また、編集部１４４は、貼付操作が行われていないと判定すると、Ｓ１００に処理を移す。
【００５９】  Ｓ１００において、制御部１４は、編集対象の文書の編集作業が終了したか否かを判定する。例えば、制御部１４は、編集対象の文書を非表示にする操作を受け付けたことに応じて、編集作業が終了したと判定し、本フローチャートに係る処理を終了する。また、制御部１４は、編集作業が終了していないと判定すると、Ｓ２０に処理を移す。
【００６０】［第１実施形態における効果］  以上のとおり、第１実施形態に係る支援装置１は、ユーザからキーワードを受け付けると、記憶部１３を参照し、一以上の参考文書から、受け付けたキーワードを含むセンテンスを抽出し、抽出したセンテンスを表示部１２に表示させ、図面に対応する単語を含むセンテンスに対して第１操作が行われると、当該単語に対応する図面を表示部１２に表示させる。このようにすることで、支援装置１は、ユーザに、センテンスに対応して表示された図を確認させ、選択したセンテンスの内容を効率よく把握させることができる。
【００６１】  支援装置１は、図面に対応する単語を含まないセンテンスに対して第１操作が行われると、当該センテンスを含む文書において、当該センテンスから所定範囲内に位置するセンテンスに含まれる当該単語に対応する図面を表示部１２に表示させる。このようにすることで、支援装置１は、ユーザに、センテンスに対応する可能性が高い図を確認させ、選択したセンテンスの内容を効率よく把握させることができる。
【００６２】  支援装置１は、抽出されたセンテンスに対して第４操作が行われると、当該センテンスを含む文書を、当該センテンスを含む部分が表示部１２に表示された状態で表示させる。このようにすることで、支援装置１は、ユーザが選択したセンテンスの前後のセンテンスについてもユーザに確認させて、選択したセンテンスの内容を効率よく把握させることができる。
【００６３】＜第２実施形態＞［複数のキーワードの距離が所定範囲内のセンテンスを抽出する］  続いて、第２実施形態について説明する。抽出部１４３が複数のキーワードを含むセンテンスを抽出する場合に、当該センテンスにおいて複数のキーワードの関連性が低い場合、ユーザが所望しないセンテンスが抽出される可能性がある。そこで、第２実施形態では、抽出部１４３が、複数のキーワードを受け付けた場合に、当該複数のキーワードの距離が所定範囲内のセンテンスを抽出する点で第１実施形態と異なる。以下に、第２実施形態に係る支援装置１について説明する。なお、第１実施形態と同様の構成については同一の符号を付し、詳細な説明を省略する。
【００６４】  抽出部１４３は、複数のキーワードを受け付けると、記憶部１３を参照し、一以上の文書から、当該複数のキーワード間の距離が所定範囲内のセンテンスを抽出する。具体的には、抽出部１４３は、ユーザからキーワードを受け付けると、記憶部１３を参照し、一以上の参考文書から、受け付けたキーワードを含むセンテンスを抽出する。続いて、抽出部１４３は、複数のキーワードを受け付けたか否かを判定する。抽出部１４３は、複数のキーワードを受け付けたと判定すると、抽出したセンテンスにおける複数のキーワードの位置を特定し、複数のキーワードの距離が所定範囲内のセンテンスをさらに抽出する。
【００６５】  ここで、受け付けられたキーワードの数が３以上の場合、抽出部１４３は、それぞれのキーワードの距離の平均値が所定範囲内のセンテンスを抽出してもよい。例えば、受け付けられたキーワードが、「タッチパネル」、「表示」、「図１」である場合、抽出部１４３は、これらのキーワードを含むセンテンスのうち、「タッチパネル」と「表示」との距離、「表示」と「図１」との距離、及び「図１」と「タッチパネル」との距離の平均値が所定範囲内のセンテンスを抽出してもよい。
【００６６】  また、センテンスを抽出する際に用いる所定範囲は、予め定められているものとするが、支援装置１のユーザが任意の範囲に指定できるようにしてもよい。また、抽出部１４３は、複数のキーワード間の距離が所定範囲内のセンテンスを抽出することとしたが、センテンスに含まれる複数の文章のうち、一の文章に複数のキーワードが含まれている場合に当該センテンスをさらに抽出するようにしてもよい。
【００６７】  続いて、表示制御部１４２は、抽出部１４３が抽出したキーワードを含むセンテンスと、当該センテンスに対応する参考文書の公報番号とを関連付けて、表示部１２に表示されている検索画面に表示する。
【００６８】［第２実施形態における効果］  以上のとおり、第２実施形態に係る支援装置１は、複数のキーワードを受け付けると、一以上の文書から、当該複数のキーワード間の距離が所定範囲内のセンテンスを抽出する。このようにすることで、支援装置１は、複数のキーワードの関連性が高いセンテンスを抽出することができる。
【００６９】＜第３実施形態＞［受け付けたキーワードと当該キーワードの類義語とに基づいてセンテンスを抽出する］  続いて、第３実施形態について説明する。抽出部１４３がユーザから受け付けたキーワードを含むセンテンスを抽出する場合、当該キーワードと同様の意味を有する類義語を含むセンテンスについても抽出したほうがユーザにとって好ましい場合もある。そこで、第３実施形態では、抽出部１４３が、ユーザから受け付けたキーワード、又は当該キーワードの類義語を含むセンテンスを抽出する点で第１実施形態と異なる。以下に、第３実施形態に係る支援装置１について説明する。
【００７０】  第３実施形態において、記憶部１３は、単語と当該単語の類義語とを関連付けた類義語辞書情報を記憶する。  抽出部１４３は、キーワードを受け付けると、記憶部１３に記憶されている類義語辞書を参照し、受け付けたキーワードに関連付けられている類義語を特定する。抽出部１４３は、一以上の文書から、受け付けたキーワード、又は特定した類義語を含むセンテンスを抽出する。
【００７１】  続いて、表示制御部１４２は、抽出部１４３が抽出したキーワードを含むセンテンスと、当該センテンスに対応する参考文書の公報番号とを関連付けて、表示部１２に表示されている検索画面に表示する。
【００７２】  ここで、支援装置１の制御部１４は、受け付けたキーワードのみに基づいてセンテンスを抽出するか、受け付けたキーワード及び当該キーワードの類義語に基づいてセンテンスを抽出するかについて、ユーザから設定を受け付けるようにしてもよい。そして、表示制御部１４２は、当該設定に基づいて、センテンスを抽出するようにしてもよい。このようにすることで、支援装置１は、ユーザが類義語を含むセンテンスを確認したいと判断した場合に限定して、類義語を含むセンテンスを抽出することができる。
【００７３】［第３実施形態における効果］  以上のとおり、第３実施形態に係る支援装置１は、キーワードを受け付けると、一以上の文書から、当該キーワード、又は当該キーワードの類義語を含むセンテンスを抽出する。このようにすることで、ユーザは、自身が入力したキーワードの類義語を含むセンテンスについても確認することができる。
【００７４】＜第４実施形態＞［複数のセンテンスのそれぞれに対応する複数の図面を表示させる］  続いて、第４実施形態について説明する。第４実施形態では、支援装置１が、複数のセンテンスに対応する複数の図面を表示部１２に表示させる点で第１実施形態と異なる。以下に、第４実施形態に係る支援装置１について説明する。
【００７５】  第４実施形態において、抽出部１４３は、キーワードの抽出操作が行われたことにより、キーワードを受け付けたと判定すると、図面に対応する単語を含む一以上の文書を記憶する記憶部１３を参照し、当該一以上の文書から、受け付けたキーワードを含むセンテンスを抽出する。表示制御部１４２は、センテンスが抽出されると、抽出されたセンテンスに含まれる単語に対応する図面を表示部に表示させる。
【００７６】  具体的には、表示制御部１４２は、抽出されたセンテンスのうち、図面に対応する単語を含むセンテンスを特定する。表示制御部１４２は、図面に対応する単語を含むセンテンスと、当該図面を識別する識別情報（例えば、ファイル名）とを関連付けた関連情報を記憶部１３に記憶させる。
【００７７】  表示制御部１４２は、抽出したセンテンスを表示部１２に表示させ、抽出した全てのセンテンスのそれぞれに対応する図面を表示部１２に表示させる操作（全図面表示操作）を受け付けると、当該全てのセンテンスのそれぞれに含まれる単語に対応する複数の図面を表示部１２に表示させる。
【００７８】  例えば、図６に示すように、検索画面にキーワードを含むセンテンスが表示された場合において、いずれかのセンテンスにおいて第１操作が行われると、全図面表示操作を受け付ける全図面表示受付画像を含む選択受付画像を表示部１２に表示させる。
【００７９】  図１２は、全図面表示受付画像を含む選択受付画像が表示された例を示す図である。図１２には、「全センテンスの図面を表示」と示される全図面表示受付画像が表示されており、表示制御部１４２は、全図面表示受付画像が選択されたことに応じて、全てのセンテンスのそれぞれに含まれる単語に対応する複数の図面の少なくとも一部を表示部１２に表示させる。
【００８０】  図１３は、抽出した全てのセンテンスのそれぞれに含まれる単語に対応する複数の図面の表示例を示す図である。図１３に示されるように、複数の図面の少なくとも一部が表示されていることが確認できる。
【００８１】  なお、本実施形態では、抽出した全てのセンテンスのそれぞれに含まれる単語に対応する全ての図面が表示部１２に表示されず、スクロール操作を受け付けたことに応じて、当該全ての図面の一部が表示されるものとするが、これに限らない。表示制御部１４２は、当該全ての図面の縮尺を変更し、当該全ての図面が一度に表示部１２に表示されるようにしてもよい。
【００８２】  なお、表示制御部１４２は、抽出部１４３が抽出したセンテンスを表示部１２に表示させずに、抽出した全てのセンテンスのそれぞれに含まれる単語に対応する複数の図面を表示部１２に表示させるようにしてもよい。このようにすることで、支援装置１のユーザは、自身が入力したキーワードに対応する可能性が高い図面を容易に確認することができる。
【００８３】  また、表示制御部１４２は、全てのセンテンスのそれぞれに含まれる単語に対応する複数の図面が表示部１２に表示されている状態において、当該複数の図面のうち、一の図面に対応するセンテンスの表示操作を受け付けたことに応じて、当該センテンスを表示部１２に表示させる。
【００８４】  例えば、図１３に示すように、複数の図面が表示されている場合において、複数の図面のいずれかの表示領域において右クリックする操作が行われると、図１４に示すように図面操作用画像を表示させる。図面操作用画像には、選択された図面に対応するセンテンスを表示させる、「本文を表示」と示される画像が含まれている。
【００８５】  表示制御部１４２は、図面操作用画像に含まれる、「本文を表示」と示される画像が選択されたことに応じて、記憶部１３に記憶されている関連情報を参照し、選択された図面に関連付けられているセンテンスを特定する。そして、表示制御部１４２は、図１１に示すように、特定したセンテンスを含む参考文書を、当該センテンスを含む部分が表示部１２に表示された状態で表示させる。
【００８６】［第４実施形態における効果］  以上のとおり、第４実施形態に係る支援装置１は、キーワードを受け付けると、記憶部１３に記憶されている一以上の文書から、受け付けたキーワードを含むセンテンスを抽出し、当該センテンスに含まれる単語に対応する図面を表示部１２に表示させる。このようにすることで、支援装置１のユーザは、選択したキーワードに対応して過去にどのような図面が用いられているかを効率よく把握することができる。
【００８７】  また、支援装置１は、複数の図面を表示部１２に表示させた後、当該複数の図面のうち、一の図面に対応するセンテンスの表示操作を受け付けたことに応じて、当該センテンスを表示部１２に表示させる。このようにすることで、支援装置１のユーザは、例えば、自身が注目した図面に対応するセンテンスの内容を効率的に把握することができる。
【００８８】  以上、本発明を実施の形態を用いて説明したが、本発明の技術的範囲は上記実施の形態に記載の範囲には限定されない。上記実施の形態に、多様な変更又は改良を加えることが可能であることが当業者に明らかである。そのような変更又は改良を加えた形態も本発明の技術的範囲に含まれ得ることが、特許請求の範囲の記載から明らかである。
【符号の説明】
【００８９】１・・・支援装置、１１・・・入力部、１２・・・表示部、１３・・・記憶部、１４・・・制御部、１４１・・・記憶制御部、１４２・・・表示制御部、１４３・・・抽出部、１４４・・・編集部
【図１】
2017061253.tif 000003
【図２】
2017061253.tif 000004
【図３】
2017061253.tif 000005
【図４】
2017061253.tif 000006
【図５】
2017061253.tif 000007
【図６】
2017061253.tif 000008
【図７】
2017061253.tif 000009
【図８】
2017061253.tif 000010
【図９】
2017061253.tif 000011
【図１０】
2017061253.tif 000012
【図１１】
2017061253.tif 000013
【図１２】
2017061253.tif 000014
【図１３】
2017061253.tif 000015
【図１４】
2017061253.tif 000016
【国際調査報告】
2017061253.tif 000017
2017061253.tif 000018
2017061253.tif 000019
2017061253.tif 000020